(57)【要約】【課題】玉タンクから送り込まれた玉を、玉詰まりを発生させることなく安定して玉計数払出し装置に送り出すことができる玉整列レールを提供する。【解決手段】パチンコ機の裏面上部に配設された玉タンク１から受入れた玉を、整列して玉計数払出し装置４に送り出すパチンコ機の玉整列レール２であって、該玉整列レール２の底面２１を横断面円弧状の凹溝２０に形成して玉詰まりの発生を防止する。円弧の曲率半径を上流側端部２ａから下流側端部２ｃにかけて徐々に小さくして、下流側端部２ｃを玉１個が通過可能な幅に狭め、さらに、下流側端部２ｃの上方に玉を一段に均すための玉抑え板６を設けて、玉を一段一列に整列して玉誘導路３に送り込む。【選択図】    図１
2004267391.tif 000002
【特許請求の範囲】
【請求項１】
パチンコ機の裏面上部に配設された玉タンクから受入れた玉を、整列して玉計数払出し装置に送り出すパチンコ機の玉整列レールであって、その底面を横断面円弧状の凹溝に形成したことを特徴とするパチンコ機の玉整列レール。
【請求項２】
円弧の曲率半径を上流端から下流端にかけて徐々に小さくして、下流端を玉１個が通過可能な幅に狭めたことを特徴とする請求項１に記載のパチンコ機の玉整列レール。
【請求項３】
下流端の上方に玉を一段に均すための玉抑え板を設けたことを特徴とする請求項２に記載のパチンコ機の玉整列レール。
【発明の詳細な説明】
【０００１】
【発明の属する技術分野】
本発明は、パチンコ機の裏面上部に配設された玉タンクから送り込まれた玉を、一列に整列させて玉計数払出し装置に誘導するためのパチンコ機の玉整列レールに関するものである。
【０００２】
【従来の技術】
パチンコ機の裏面には機構盤が設けられ、この機構盤の上部には多数の玉を貯留するための玉タンクが配設されている。玉タンクの下方には玉を一列に整列させて誘導する玉整列レールが連設され、この玉整列レールの下流側端部には玉誘導路が接続され、さらにその下端には所定数の玉を計数して払い出す玉計数払出し装置が接続されている。そして、玉が入賞口に入賞した時などに発信される玉払出し信号によって玉計数払出し装置を作動させて所定数の玉を払出し、それに伴い玉タンクから玉整列レールに玉を払い出していた。
【０００３】
従来の玉整列レールとして、例えば特開２０００−１４０３１３号公報には、その上流端と下流端の通路幅を異ならしめて漸次狭くした玉整列レールが開示されている。この玉整列レールは水平な底面と、この左右両側に立設された垂直壁からなる上向きコの字形状のものである。このように従来の玉整列レールは水平底面と左右の垂直壁面により通路が形成されていたので、玉の流下抵抗が分散されず、したがってブリッジを形成するなどして玉詰まりが発生し易いものであった。
【０００４】
【特許文献１】特開２０００−１４０３１３号公報（図３）
【０００５】
【発明が解決しようとする課題】
本発明は上記した従来の問題点を解決し、玉タンクから送り込まれた玉を、玉詰まりを発生させることなく玉計数払出し装置に送り出すことができる玉整列レールを提供するためになされたものである。
【０００６】
【課題を解決するための手段】
上記の課題を解決するためになされた本発明のパチンコ機の玉整列レールは、パチンコ機の裏面上部に配設された玉タンクから受入れた玉を整列して玉計数払出し装置に送り出すパチンコ機の玉整列レールであって、該玉整列レールの底面を横断面円弧状の凹溝に形成したことを特徴とするものである。なお、円弧の曲率半径を上流端から下流端にかけて徐々に小さくして、下流端を玉１個が通過可能な幅に狭めるのが望ましく、さらに、下流端の上方に玉を一段に均すための玉抑え板を設けるのが望ましい。
【０００７】
【発明の実施の形態】
以下に図面を参照しつつ本発明の好ましい実施形態を説明する。
図１〜３は本発明に係る玉整列レールが配設されたパチンコ機の裏面上部を示す図であって、１は玉タンク、２は玉整列レール、３は玉誘導路、４は玉計数払出し装置である。玉タンク１はその底面が一方に傾斜していて玉排出口１１から玉整列レール２に玉を送り出す。玉整列レール２は玉タンク１の下方に位置していて、玉タンク１から送り込まれた玉を玉整列レール２の上流側端部２ａに受入れる。玉整列レール２の底面２１は、上流側端部２ａから下流側端部２ｃにかけて低く傾斜させてあるので、玉は玉誘導路３に向けて流下することができる。
【０００８】
そして、玉整列レール２の底面２１は、図４に示すように横断面が円弧状の凹溝２０に形成してあって、凹溝２０の左右両側には上方に向けて垂直に側壁２２が延設されている。また、底面２１は曲率半径が上流側端部２ａ、中流部２ｂ、下流側端部２ｃにかけて徐々に小さくしてあって、下流側端部２ｃにおいては玉整列レール２の幅を玉１個が通過可能な幅に狭めてあるので、複数列で流れる玉を一列に揃えることができる。このように底面２１を円弧状に形成したので、玉が流動中にレール面に懸かる力を分散することができて、玉詰まりを発生させることなく玉を円滑に流下させることができる。なお、玉整列レール２を、垂直の側壁２２を有しない横断面円弧状のものとすることができるのはもちろんのことである。
【０００９】
玉整列レール２の下流側端部２ｃの上方には、図１に示すように玉を一段にならすため玉抑え板６が設けてあり、その高さを下流側にかけて徐々に低く形成してある。そして、下流側端部２ｃの玉出口２ｄにおいては玉１個が通過可能な高さとしてあるので、玉は一段一列の状態に整列されて玉誘導路３に送出される。
【００１０】
玉誘導路３の下端には、回転体４１と玉計数装置４２とからなる玉計数払出し装置４が配設されている。玉が遊技盤の玉入賞口に入賞したり、貸し玉が請求されたような場合には、発信される玉出し信号によって回転体４１が回転される。玉計数装置４２は払い出された玉を計数し、所定数の玉を払い出した時に回転体４１の回転を停止するので、玉計数払出し装置４は玉を玉送出し路５に送り出すことができる。この玉送り出しに連動して玉タンク１から玉整列レール２に玉が払い出される。以上のようにして玉を常に玉計数払出し装置４に安定して供給することができる。
【００１１】
【発明の効果】
以上に説明したように、本発明のパチンコ機の玉整列レールは、その底面を横断面円弧状の凹溝に形成したことにより、玉が流動中にレール面に懸かる抵抗を分散することができるので、玉詰まりを発生させることなく玉を円滑に流下させることができる。また、円弧の曲率半径を上流端から下流端にかけて徐々に小さくして下流端を玉１個が通過可能な幅に狭め、さらに、下流端の上方に玉を一段に均すための玉抑え板を設けることによって、玉を一段一列に整列させて玉誘導路に送り込むことができる。
したがって、本発明は玉タンクから玉計数払出し装置に安定して供給することができるものとして大きな利点を有するものである。
【図面の簡単な説明】
【図１】本発明に係る玉整列レールが配設されたパチンコ機の裏面上部の正面図である。
【図２】パチンコ機の裏面上部の平面図である。
【図３】パチンコ機の裏面上部の側面の断面図である。
【図４】玉整列レールの断面図である。
【符号の説明】
１  玉タンク
２  玉整列レール
２ａ    上流側端部
２ｃ    下流側端部
２０  凹溝
２１  玉整列レールの底面
３  玉誘導路
４  玉計数払出し装置
６  玉抑え板
【図１】
2004267391.tif 000003
【図２】
2004267391.tif 000004
【図３】
2004267391.tif 000005
【図４】
2004267391.tif 000006